(57)【特許請求の範囲】
【請求項１】
緑化の対象となる地盤表面の少なくとも一部が露出領域として露出するように該地盤表面を被覆層で被覆し、該被覆層を、植生基材が積層されない木片コンクリートの単一層で構成するとともに、前記露出領域のみを植栽の範囲としてなり、前記木片コンクリートを、多数の木片を該木片同士に間隙が生じるようにセメント含有物質で相互に固結させることにより、前記木片同士の間隙に植物の根が伸張して該木片に絡みつき又は該間隙を介して植物の根が地盤に伸張し、前記被覆層で被覆された領域に前記露出領域の植生が拡大するようになっていることを特徴とする木片コンクリートを用いた緑化構造。
【請求項２】
前記被覆層で被覆された領域と前記露出領域とが市松状に交互に並ぶように前記被覆層を前記地盤表面に配置した請求項１記載の木片コンクリートを用いた緑化構造。
【請求項３】
前記露出領域が格子状となるように前記被覆層を互いに離間させて前記地盤表面に配置した請求項１記載の木片コンクリートを用いた緑化構造。
【請求項４】
前記露出領域が矩形状にかつ互いに離間配置されるように前記被覆層を前記地盤表面に格子状に連続配置した請求項１記載の木片コンクリートを用いた緑化構造。
【請求項５】
前記被覆層を、予め硬化させた木片コンクリート板で構成した請求項１乃至請求項４のいずれか一記載の木片コンクリートを用いた緑化構造。
【請求項６】
前記被覆層を、未だ硬化していない木片コンクリートを現場施工して硬化させることで構成した請求項１乃至請求項４のいずれか一記載の木片コンクリートを用いた緑化構造。
【発明の詳細な説明】
【技術分野】
【０００１】
本発明は、河川堤防や崖地等の法面を主として緑化するのに用いられる木片コンクリートを用いた緑化構造に関する。
【背景技術】
【０００２】
造成地の盛土や切土、道路の盛土、河川堤防等に見られる傾斜地においては、適当な手段でこれを保護することにより、法面の侵食、剥離、落石等を未然に防止しなければならない。
【０００３】
法面を緑化によって保護する方法としては、植物の種子、肥料、水、チップ材、粘着剤等を攪拌混合した水性スラリーからなる植生基材を法面に吹き付ける方法が採用されてきたが、植物の定着と生育を図るためには、植生基材を十分な厚さで吹き付けなければならず、材料コストや施工コストが高くなりがちであった。
【０００４】
一方、セメントミルクあるいはフレッシュモルタルと木片とが混合されてなる混練物を法面に吹き付け、あるいは該混練物を予め硬化させてなる木片コンクリート板を法面に敷設し、その上に植生基材を積層する技術が本出願人によって開発された。
【０００５】
かかる木片コンクリートによれば、植生基材で成長した植物の根が木片の間隙に伸張することによって自立性が向上し、かくして木片コンクリートの上に積層すべき植生基材を従前よりも薄くすることが可能となり、全体の緑化コストを大幅に低減することができるようになった。
【先行技術文献】
【特許文献】
【０００６】
【特許文献１】特開平８−４０１７号公報
【特許文献２】特開２００４−９２０３８号公報
【特許文献３】特開２００４−８４４１５号公報
【特許文献４】特開２００４−８４４０２号公報
【発明の概要】
【発明が解決しようとする課題】
【０００７】
ここで、緑化による法面保護は、法面の浸食等を防止することが目的である関係上、できるだけ成長の早い植物で法面を覆うことが必要とされ、そのために在来種よりも成長の早い外来種が多用される。
【０００８】
しかしながら、このような外来種を用いた場合、法面保護ひいては防災機能の確保を早期に実現できるものの、外来種ゆえの旺盛な成長により、成長し過ぎた植物に対する刈り取り等の維持管理が大きな負担になるという問題を生じていた。加えて、成長力の強い外来種が在来種を駆逐するのではないかという生態系への影響も懸念されていた。
【課題を解決するための手段】
【０００９】
本発明は、上述した事情を考慮してなされたもので、維持管理の負担を軽減するとともに生態系への影響を最小限にとどめることが可能な木片コンクリートを用いた緑化構造を提供することを目的とする。
【００１０】
上記目的を達成するため、本発明に係る木片コンクリートを用いた緑化構造は請求項１に記載したように、緑化の対象となる地盤表面の少なくとも一部が露出領域として露出するように該地盤表面を被覆層で被覆し、該被覆層を、植生基材が積層されない木片コンクリートの単一層で構成するとともに、前記露出領域のみを植栽の範囲としてなり、前記木片コンクリートを、多数の木片を該木片同士に間隙が生じるようにセメント含有物質で相互に固結させることにより、前記木片同士の間隙に植物の根が伸張して該木片に絡みつき又は該間隙を介して植物の根が地盤に伸張し、前記被覆層で被覆された領域に前記露出領域の植生が拡大するようになっているものである。
【００１１】
また、本発明に係る木片コンクリートを用いた緑化構造は、前記被覆層で被覆された領域と前記露出領域とが市松状に交互に並ぶように前記被覆層を前記地盤表面に配置したものである。
【００１２】
また、本発明に係る木片コンクリートを用いた緑化構造は、前記露出領域が格子状となるように前記被覆層を互いに離間させて前記地盤表面に配置したものである。
【００１３】
また、本発明に係る木片コンクリートを用いた緑化構造は、前記露出領域が矩形状にかつ互いに離間配置されるように前記被覆層を前記地盤表面に格子状に連続配置したものである。
【００１４】
また、本発明に係る木片コンクリートを用いた緑化構造は、前記被覆層を、予め硬化させた木片コンクリート板で構成したものである。
【００１５】
また、本発明に係る木片コンクリートを用いた緑化構造は、前記被覆層を、未だ硬化していない木片コンクリートを現場施工して硬化させることで構成したものである。
【００１６】
本発明に係る木片コンクリートを用いた緑化構造においては、緑化の対象となる地盤表面の少なくとも一部が露出領域として露出するように該地盤表面を被覆層で被覆し、該被覆層を、植生基材が積層されない木片コンクリートの単一層で構成するとともに、露出領域のみを植栽の範囲とする。
【００１７】
このようにすると、地盤表面のうち、一定の範囲が被覆層で被覆されるため、浸食、剥離、落石といった災害が施工直後から有効に防止されるとともに、かかる防災機能は、露出領域に植え付けられた植物の成長に伴ってさらに向上する。
【００１８】
そして、所定期間経過後、露出領域で成長した植物の種子が被覆層に飛散しあるいは根が伸張したとき、植物は、木片コンクリートを構成する木片同士の間隙を介してその根を地盤に伸張させ、やがては被覆層で覆われた領域においてもしっかりと植生を拡大し、緑化による防災機能は大幅に向上する。
【００１９】
一方、施工当初においては、植栽の範囲が露出領域に限られるとともに、従来のように植生基材を吹き付ける必要もないため、緑化のための初期コストが大幅に軽減される。
【００２０】
加えて、木片コンクリートによる防災機能が施工当初から発揮されるため、従来のように緑化を急ぐ必要がなくなり、その結果、緑化のための植物として成長の早い外来種ではなく、在来種を選択することが可能となり、かくして、刈取りやその処分のための維持管理負担が大幅に軽減されるとともに、かかる作用効果は、植生が被覆層に拡大した段階で緑化によるコスト削減になお一層寄与することとなる。
【００２１】
木片コンクリートを用いた従来の緑化は、緑化対象となる範囲の全面にわたって木片コンクリートを敷設するとともに、さらにその上に植生基材をやはり全面に吹き付ける必要があるため、木片コンクリートの敷設面積も植生基材の吹付け面積も緑化対象となる範囲の全体に及ぶこととなり、初期投資が大きくなる。加えて、緑化のための植物は、植生基材に種子として混入せざるを得ないため、成長が早い外来種の採用を余儀なくされていた。
【００２２】
本発明は、露出領域が残るように木片コンクリートからなる被覆層を地盤に配置するとともに、該露出領域にのみ植栽を施すことにより、木片コンクリートの敷設面積を例えば５０％程度に減らすとともに、植生基材の吹付けを不要にすることが可能となる。また、緑化のための植物は、露出領域に植栽すればよいため、苗木や場合によっては成長した植物を用いることが可能となり、外来種を用いる必要がなくなる。
【００２３】
一方、被覆層を木片コンクリートで構成したことにより、施工当初こそ植生が露出領域に限られるものの、一定期間経過後においては、木片コンクリートからなる被覆層で覆われた被覆領域にまで植生を拡大させることができる。
【００２４】
本発明において露出領域のみに施す植栽とは、植物を定着させることができる限り、その具体的方法は任意であって、播種からの生育や苗木の植付けが含まれるとともに、場合によっては成長した植物の植付けでもかまわない。
【００２５】
木片コンクリートとは、木片とセメント含有物質との混練物又はその硬化物を意味し、セメント含有物質とは、セメントと水との水和反応による固結作用が得られるものであって、具体的には、セメント及び水からなるセメントミルク（セメントペースト）、セメント、水及び細骨材からなるフレッシュモルタルあるいはセメント、水、細骨材及び粗骨材からなるフレッシュコンクリートの３つの形態が含まれる。
【００２６】
本発明においては、緑化の対象となる地盤表面を全て被覆層で覆うのではなく、少なくとも一部を露出領域として残すことを必須要件とするが、被覆層で覆われた領域（以下、被覆領域）と露出領域との面積割合やその配置形態は任意であり、例えば、被覆領域と露出領域とが市松状に交互に並ぶように被覆層を地盤表面に配置する構成や、露出領域が格子状となるように被覆層を互いに離間させて地盤表面に配置する構成、あるいは露出領域が矩形状にかつ互いに離間配置されるように被覆層を地盤表面に格子状に連続配置する構成を採用することができる。
【００２７】
木片コンクリートは、予め硬化させた木片コンクリート板で構成し、又は未だ硬化していない状態で現場施工してから硬化させて構成することが可能であり、前者の場合には、多数の木片を該木片同士に間隙が生じるようにセメント含有物質で相互に固結させて構成し、後者の場合には、多数の木片とセメント含有物質とを含む混練物を、木片同士の間に間隙が形成された状態で該木片が相互に固結されるように、吹付け等の方法で現場施工すればよい。
【図面の簡単な説明】
【００２８】
【図１】本実施形態に係る木片コンクリートを用いた緑化構造の図であり、(a)は法面直交方向から見た正面図、(b)はＡ−Ａ線方向に沿った断面図。
【図２】変形例に係る木片コンクリートを用いた緑化構造の図であり、(a)は法面直交方向から見た正面図、(b)はＢ−Ｂ線方向に沿った断面図。
【図３】別の変形例に係る木片コンクリートを用いた緑化構造の図であり、(a)は法面直交方向から見た正面図、(b)はＣ−Ｃ線方向に沿った断面図。
【発明を実施するための形態】
【００２９】
以下、本発明に係る木片コンクリートを用いた緑化構造の実施の形態について、添付図面を参照して説明する。
【００３０】
図１は、本実施形態に係る木片コンクリートを用いた緑化構造を示した図である。同図でわかるように、本実施形態に係る木片コンクリートを用いた緑化構造１は、緑化の対象となる地盤２の表面のうち、一部を地盤２の地肌が露出する露出領域５とし、残りの部分を被覆層としての木片コンクリート板３で覆われた被覆領域４としてあるが、木片コンクリート板３は同図でよくわかるように、被覆領域４と露出領域５とが市松状に交互に並ぶように、地盤２の表面に配置してある。
【００３１】
木片コンクリート板３は、木片コンクリートの単一層で構成してあるとともに、該木片コンクリート板３自体が被覆層となり、その上には植生基材が積層されない断面構造としてある。
【００３２】
一方、植栽を施す範囲は露出領域５のみであり、被覆領域４に対しては、人工的な植栽を施さない。
【００３３】
木片コンクリート板３は、多数の木片を該木片同士に間隙が生じるようにセメント含有物質としてのセメントミルクで相互に固結させて構成してあり、かかる構成により、木片同士の間隙に植物の根を伸張させて該木片に絡みつかせ、あるいは間隙を介して地盤２に根を伸張させることで、植物をしっかりと支える定着機能を発揮する。
【００３４】
木片コンクリート板３は、その厚さを１０ｍｍ以上３０ｍｍ以下、特に２０ｍｍ以上３０ｍｍ以下とするのが望ましい。１０ｍｍ未満では、強度が不足して搬送時や法面に固定する際の釘打ち作業時に破損するおそれがあり、３０ｍｍを越えると、重量が大きくなって作業性が低下するからである。
【００３５】
また、木片コンクリート板３は、施工能率を低下させることなく、作業員が持ち運ぶことができるように、その大きさを３００ｍｍ×３００ｍｍ以上、５００ｍｍ×５００ｍｍ以下、特に、４００ｍｍ×４００ｍｍ以上、５００ｍｍ×５００ｍｍ以下とするのが望ましい。
【００３６】
木片コンクリート板３を製造するには、木片とセメントと少量の水とをミキサー内で混合して木片の表面にセメントミルクを絡ませるようにし、かかる状態で板状物製作用型枠内に投入し、適宜プレスをかけながら硬化乾燥させ、板状に成形すればよい。
【００３７】
ここで、セメントミルクが多すぎると、製造された木片コンクリート内の間隙が少なくなり、セメントペーストが少なすぎると、木片同士を固結させる強度が不足して板状体としての強度が不足するため、セメント及び水の量は、かかる観点を考慮して適宜決定する。
【００３８】
また、木片は、板状体としての強度を確保しつつ、それらの間に間隙が確実に形成されるよう、大きさを１０ｍｍ以上３０ｍｍ以下とするのが望ましい。
【００３９】
木片コンクリート板３をこのような条件で製造すると、質量を１〜３ｋｇ、曲げ破壊荷重を４００Ｎ程度以上、曲げ強さを０．７Ｎ／ｍｍ2程度以上にすることが可能であり、上述したように施工能率と作業性の両方を確保することができる。
【００４０】
本実施形態に係る木片コンクリートを用いた緑化構造１を構築するには、上述した木片コンクリート板３を施工現場に予め搬入しあるいは現地にて製作した後、該木片コンクリート板を、被覆領域４と露出領域５とが市松状に交互に並ぶように、地盤２の表面に配置する。木片コンクリート板３は、ピンやアンカーなどを用いて地盤２の表面に適宜固定すればよい。
【００４１】
次に、木片コンクリート板３で被覆された残りの領域、すなわち露出領域５に植栽６を施す。植栽６は、播種、苗木の植付けなど任意にその方法を選択することができる。
【００４２】
以上説明したように、本実施形態に係る木片コンクリートを用いた緑化構造１によれば、地盤２の表面のうち、一定の範囲が木片コンクリート板３で被覆されるため、浸食、剥離、落石といった災害が施工直後から有効に防止されるとともに、かかる防災機能は、露出領域５に植え付けられた植物６の成長に伴ってさらに向上する。
【００４３】
そして、所定期間経過後、露出領域５に植え付けられた植物６の種子が木片コンクリート板３に飛散しあるいは該木片コンクリート板に根が伸張したとき、植物は、木片コンクリート板３を構成する木片同士の間隙を介してその根を地盤２に伸張させ、やがては被覆領域４においてもしっかりと植生を拡大し、緑化による防災機能は大幅に向上する。
【００４４】
一方、施工当初においては、木片コンクリート板３を配置する範囲が被覆領域４に、植栽を行う範囲が露出領域５にそれぞれ限られるとともに、従来のように植生基材を吹き付ける必要もないため、緑化のための初期コストが大幅に軽減される。
【００４５】
加えて、木片コンクリート板３による防災機能が施工当初から発揮されるとともに、苗木や成長した植物を用いて露出領域５に植栽を施すことが可能なため、従来のように緑化を急ぐ必要がなくなり、その結果、緑化のための植物として成長の早い外来種ではなく、在来種を選択することが可能となり、かくして、刈取りやその処分のための維持管理負担が大幅に軽減されるとともに、生態系への影響を懸念する必要もない。なお、かかる作用効果は、植生が木片コンクリート板５に拡大した段階でいっそう顕著となる。
【００４６】
本実施形態では、予め硬化させてなる木片コンクリート板３で被覆層を構成したが、これに代えて、未だ硬化していない木片コンクリートを現場施工しこれを硬化させることで被覆層を構成するようしてもかまわない。
【００４７】
かかる構成においては、まず、地盤２の表面のうち、被覆領域４に型枠を設置するとともに必要に応じてラスを敷設し、しかる後、該ラスの上からセメントミルクと多数の木片とを含む混練物を吹き付けることで、木片コンクリートからなる被覆層を形成する。
【００４８】
混練物は、木片とセメント含有物質としてのセメントミルクとを混合して構成してあり、セメントミルクが硬化した状態において、木片同士の間に空隙が形成された状態で該木片が相互に固結されるように、木片及びセメントミルクの混合割合を設定する。
【００４９】
具体的には、セメントミルクを木片の量に対して貧配合とし、ミキサー内で木片の周囲にセメントミルクを付着させるように混合し、かかる状態で木片を吹き付けるのが望ましい。
【００５０】
かかる混練物を吹き付けるにあたっては、例えば数ｃｍ程度の大きさの木片とセメントミルクとをそれぞれ必要な量だけ計量槽で計量し、これらをミキサーに投入して混合した後、例えばコンクリート吹付機を用いてその吹付けノズルから噴出するようにすればよい。
【００５１】
また、本実施形態では、被覆領域４と露出領域５とが市松状に交互に並ぶように、被覆層である木片コンクリート板３を地盤２の表面に配置したが、被覆領域と露出領域とをどのように組み合わせるか、あるいはそれらをどのような平面形状にするかは任意であって、例えば上述した構成に代えて、図２又は図３に示す構成を採用することができる。
【００５２】
図２に示す変形例に係る木片コンクリートを用いた緑化構造２１は上述の実施形態と同様、緑化の対象となる地盤２の表面のうち、一部を地盤２の地肌が露出する露出領域５ｂとし、残りの部分を被覆層としての木片コンクリート板３で覆われた被覆領域４ｂとするとともに、露出領域５ｂを植栽の範囲としてあるが、木片コンクリート板３は同図でよくわかるように、露出領域５ｂが格子状となるよう、木片コンクリート板３を互いに離間させて地盤２の表面に配置してある。
【００５３】
かかる構成においても、上述の実施形態と同様の作用効果を奏するとともに、木片コンクリート板３に代えて、未硬化の木片コンクリートを吹き付けて硬化させることができる点についても上述したと同様であるが、ここではその説明を省略する。
【００５４】
図３に示す変形例に係る木片コンクリートを用いた緑化構造３１は上述の実施形態と同様、緑化の対象となる地盤２の表面のうち、一部を地盤２の地肌が露出する露出領域５ｃとし、残りの部分を被覆層としての木片コンクリート３２で覆われた被覆領域４ｃとするとともに、露出領域５ｃを植栽の範囲としてあるが、木片コンクリート３２は同図でよくわかるように、露出領域５ｃが矩形状にかつ互いに離間配置されるよう、地盤２の表面に格子状に連続配置してある。
【００５５】
木片コンクリート３２は、格子状の型枠を地盤２の表面に建て込んだ後、未硬化の木片コンクリートを型枠内に吹き付けて硬化させるのが望ましい。
【００５６】
かかる構成においても、上述の実施形態と同様の作用効果を奏するが、ここではその説明を省略する。
【符号の説明】
【００５７】
１，２１，３１          木片コンクリートを用いた緑化構造
２                  地盤
３                  木片コンクリート板（被覆層）
４，４ｂ              被覆領域
５，５ｂ              露出領域
６                  植物
３２                 木片コンクリート（被覆層）
【図１】
0005610188.tif 000002
【図２】
0005610188.tif 000003
【図３】
0005610188.tif 000004